(57)【要約】【課題】同軸ケーブルの編組に対して安定した電気的接続を果たすことができると共に、同軸ケーブルの高周波特性が圧着接続で損なわれることの無い良好な同軸ケーブル用シールド端子を提供する。【解決手段】同軸ケーブル用シールド端子３１は、同軸ケーブル３３の端部に圧着接続される圧着部４５を有し、同軸ケーブル３３の端部に露出された編組３５に電気的に接続される。圧着部４５が、端子底板部４４の両側縁より起立され、加締めにより編組３５に圧着接続される一対の編組加締め部５１，５１と、これらの編組加締め部５１，５１の先端部との間で編組３５を挟持するように先端部がケーブル端部側から絶縁内皮３８と編組３５との間に差し込まれる接続片５５と、を備えている。編組加締め部５１，５１の内面には、加締め時に接続片５５が芯線３７側に変位するのを阻止する係止部６１が突設されている。【選択図】        図１
2004319175.tif 000002
【特許請求の範囲】
【請求項１】
同軸ケーブルの端部に圧着接続される圧着部を有し、前記同軸ケーブルの端部に露出された編組に電気的に接続される同軸ケーブル用シールド端子であって、
前記圧着部が、端子底板部の両側縁より起立され、加締めにより前記編組に圧着接続される一対の編組加締め部と、これらの編組加締め部の先端部との間で前記編組を挟持するように先端部がケーブル端部側から絶縁内皮と前記編組との間に差し込まれる接続片と、を備えており、
前記編組加締め部の内面には、加締め時に前記接続片が芯線側に変位するのを阻止する係止部が突設されていることを特徴とする同軸ケーブル用シールド端子。
【請求項２】
前記各編組加締め部の内面にそれぞれ前記係止部が複数、かつ、前記接続片の長手方向に対応して設けられていることを特徴とする請求項１記載の同軸ケーブル用シールド端子。
【発明の詳細な説明】
【０００１】
【発明の属する技術分野】
本発明は同軸ケーブル用シールド端子に関し、詳しくは、同軸ケーブルの端部に圧着接続される圧着部を有し、前記同軸ケーブルの端部に露出された編組に電気的に接続される同軸ケーブル用シールド端子の改良に関するものである。
【０００２】
【従来の技術】
一般に、アンテナ線等として用いられる同軸ケーブルは、電磁波や静電気などの電気的ノイズを遮断すべく、絶縁内皮により被覆された芯線の外側を編組によって覆い、さらにその外側を絶縁シースにより被覆をした構成となっている。
そして、この様な同軸ケーブルを相手側の機器やコネクタに接続する同軸コネクタとしては、種々のものが提案されている。
更に、この様な同軸コネクタにおいては、同軸ケーブルの編組を相手側のコネクタにアース接続する同軸ケーブル用シールド端子が用いられており、その一例としては図６及び図７に示したようなものがある（例えば、特許文献１参照）。
【０００３】
図６に示した従来の同軸ケーブル用シールド端子１１は、金属板のプレス成形品であり、先端側にはコネクタ装着部１３が装備されると共に、基端側には同軸ケーブル１に圧着接続する圧着部１４が装備された構成である。
前記同軸ケーブル１は、絶縁シース３とその内側の編組５とを所定長さで切除して２本のコアワイヤ７を露出させた後、該コアワイヤ７の絶縁内皮７ｂの先端を切除して芯線７ａを露出させ、該芯線７ａの先端に電線圧着端子（図示せず）を圧着し、これら端子をコネクタ１５に装着している。
【０００４】
前記コネクタ装着部１３は、図７に示したように、端子底板部１１ａの先端側両側縁から立ち上げた一対の側壁１３ａ，１３ａ間に、前記コアワイヤ７が接続されたコネクタハウジング１５を保持し、カバー２５により覆われる。
前記圧着部１４には、一対の加締め部１４ａ，１４ｂ間において、前記同軸ケーブル１の編組５とその内側の絶縁内皮６との間に差し込まれる接続片１２が設けられている。
【０００５】
前記接続片１２は、一方の側壁１３ａにおける加締め部１４ａより所定長さをあけた前方位置に、該側壁１３ａの上端面より端子底板部１１ａ側へ屈曲させた連結部を１２ａを介して、前記加締め部１４ａと隙間をあけて略平行に後端側へ折り返して設けられており、コアワイヤ７の外周面に沿うように断面円弧状に湾曲させている。
【０００６】
そして、上記同軸ケーブル用シールド端子１１を前記同軸ケーブル１に接続する際には、前記接続片１２を編組５と絶縁内皮６との間に差し込んだ状態にした後に、一対の加締め部１４ａ，１４ｂを絶縁シース３の上に加締め付ける。
すると、前記加締め部１４ａが絶縁シース３及び編組５を接続片２３側に押圧付勢して、図８に示すように、接続片１２を編組５の内周面に密着した状態にするため、前記接続片１２を介して編組５と同軸ケーブル用シールド端子１１との間の良好な電気的接続状態を得ることが可能になる。
【０００７】
【特許文献１】
実開平５−９０８５５号公報
【０００８】
【発明が解決しようとする課題】
ところが、上述した同軸ケーブル用シールド端子１１の場合は、圧着部１４の加締め部１４ａを加締め付けた際に、加締め時の押圧力で接続片１２が、図９に矢印（Ａ）で示した芯線７ａ側に向かって変位し、変形した接続片１２が絶縁内皮６に食込み逃げるので、前記編組５を十分に圧縮することができず、良好な電気的接続状態を得ることができない事があった。
【０００９】
また、上述したように変形した前記接続片１２が芯線７ａの周囲の絶縁内皮７ｂを押し潰してしまうと、図９に示したように、芯線７ａと編組５との距離が変化（即ち、芯線７ａの径ｄ１とその周囲の絶縁内皮７ｂの外径ｄ２との比：ｄ１／ｄ２が変化）してしまい、同軸ケーブル１におけるインピーダンスの乱れを招いて、高周波特性を悪化させるという問題もあった。
【００１０】
そこで、本発明の目的は上記課題を解消することに係り、同軸ケーブルの編組に対して安定した電気的接続を果たすことができると共に、同軸ケーブルの高周波特性が圧着接続で損なわれることの無い良好な同軸ケーブル用シールド端子を提供することである。
【００１１】
【課題を解決するための手段】
本発明の上記目的は、請求項１に記載したように、同軸ケーブルの端部に圧着接続される圧着部を有し、前記同軸ケーブルの端部に露出された編組に電気的に接続される同軸ケーブル用シールド端子であって、
前記圧着部が、端子底板部の両側縁より起立され、加締めにより前記編組に圧着接続される一対の編組加締め部と、これらの編組加締め部の先端部との間で前記編組を挟持するように先端部がケーブル端部側から絶縁内皮と前記編組との間に差し込まれる接続片と、を備えており、
前記編組加締め部の内面には、加締め時に前記接続片が芯線側に変位するのを阻止する係止部が突設されていることを特徴とする同軸ケーブル用シールド端子により達成される。
【００１２】
上記構成の同軸ケーブル用シールド端子によれば、同軸ケーブルの端部の絶縁シースや絶縁内皮を所定長に剥ぎ取って芯線露出部や編組露出部を形成するケーブル端末処理を施した後、その同軸ケーブルの端部に対して接続片を編組と絶縁内皮との間に差し込んだ状態にして一対の編組加締め部が編組の上に加締め付けられる。
すると、編組加締め部が編組を接続片側に押圧付勢して、接続片を編組の内周面に密着した状態にするので、該編組は、接続片と編組加締め部とで挟持されて同軸ケーブル用シールド端子との間の良好な電気的接続状態を得ることができる。
【００１３】
更に、圧着接続時の加締め力は、編組及び接続片を芯線側に押圧付勢するが、各編組加締め部の内面に突設されている係止部が、接続片の芯線側への変位を規制するため、変形した接続片が絶縁内皮を押し潰すことがない。
従って、圧着時にインピーダンスの乱れを招く同軸ケーブル内の絶縁内皮の押し潰しが発生することはなく、同軸ケーブルの高周波特性がシールド端子の圧着接続で損なわれることは無い。
【００１４】
また、本発明の上記目的は、請求項１に記載したように、前記各編組加締め部の内面にそれぞれ前記係止部が複数、かつ、前記接続片の長手方向に対応して設けられていることを特徴とする同軸ケーブル用シールド端子により達成される。
上記構成の同軸ケーブル用シールド端子によれば、各編組加締め部の内面にそれぞれ複数の係止部が接続片の長手方向に対応して設けられているため、圧着接続時の加締め力が接続片に作用しても、各係止部部が接続片を支持し、これにより接続片が傾くことを防止できる。
【００１５】
【発明の実施の形態】
以下、添付図面に基づいて本発明の一実施形態に係る同軸ケーブル用シールド端子を詳細に説明する。
図１は本発明の一実施形態に係る同軸ケーブル用シールド端子の全体斜視図、図２は図１に示した同軸ケーブル用シールド端子の縦断面図、図３は図２のＩＩＩ−ＩＩＩ断面矢視図、図４は図１に示した同軸ケーブル用シールド端子の圧着部における拡大横断面図である。
【００１６】
本実施形態の同軸ケーブル用シールド端子３１は、図１及び図２に示すように、金属板のプレス成形による一体成形品で、単芯の同軸ケーブル３３の編組３５に電気的に接続される。
同軸ケーブル３３は、図１に示したように、芯線３７の周囲を覆う絶縁内皮３８の外側に編組３５が設けられ、該編組３５の外側に絶縁シース３９を備えたものである。
【００１７】
この同軸ケーブル３３は、編組３５、絶縁内皮３８及び芯線３７がそれぞれ所定の長さで露出した状態になるように、絶縁シース３９、編組３５及び絶縁内皮３８の各端部の剥ぎ取りを行い、次いで、芯線３７に嵌合接続用の略円筒状のインナー端子４１を圧着接続した後、前記同軸ケーブル用シールド端子３１に圧着接続される（図５（ａ），（ｂ）、参照）。
【００１８】
前記同軸ケーブル用シールド端子３１は、前記同軸ケーブル３３の芯線３７に圧着されたインナー端子４１を中心軸上に収容する円筒状の端子本体４３と、この端子本体４３から後方に延出した端子底板部４４と、この端子底板部４４に装備された圧着部４５とを金属板から一体成形したものである。
【００１９】
前記圧着部４５には、前記端子底板部４４の両側縁に起立状態に装備されて加締めにより前記編組３５に圧着接続される一対の編組加締め部５１，５１と、この編組加締め部５１よりも後方位置で前記端子底板部４４の両側縁に起立状態に装備されて前記絶縁シース３９の上から加締め付けることで前記同軸ケーブル３３の固定を行う一対のシース加締め部５３，５３と、先端部がケーブル端部側から絶縁内皮３８と編組３５の間に差し込まれる接続片５５と、が装備される。
【００２０】
前記接続片５５は、図１及び図２に示したように、横断面形状が編組３５の内周面に沿う円弧板形状で、前記端子本体４３の上部後端縁から延出して折曲形成されており、ケーブル端部側から絶縁内皮３８と前記編組３５の間に差し込んだ状態で、前記編組加締め部５１を編組３５の上に加締め付けると、編組加締め部５１の先端部との間で前記編組３５を挟持し、該編組３５の内周面に密着状態にされる。
【００２１】
更に、本実施形態の同軸ケーブル用シールド端子３１における各編組加締め部５１の内面には、図３にも示したように、加締め時に前記接続片５５が芯線３７側に変位するのを阻止する複数の係止部６１が、プレス加工による打ち出しによって突設されている。
これらの係止部６１は、各編組加締め部５１の内面にそれぞれ２個づつ、かつ、接続片５５の長手方向に対応して設けられている。
【００２２】
そこで、前記係止部６１は、前記編組加締め部５１の加締め力によって、前記接続片５５が同軸ケーブル３３の芯線３７側に変位しようとするとき、図４に示すように、該接続片５５の両側部を係止することで、接続片５５の芯線３７側（図中、下側）への変位を阻止することができる。
【００２３】
そして、前記同軸ケーブル用シールド端子３１は、図５（ａ）に示したように、前記同軸ケーブル３３の端部に前記圧着部４５を加締め付けることで、該同軸ケーブル３３の端部に圧着接続した状態とされる。
尚、本実施形態の場合、同軸ケーブル３３に圧着接続した同軸ケーブル用シールド端子３１は、図５（ｂ），（ｃ）に示したように、絶縁樹脂製のシールド端子ハウジング６３内に収容され、該シールド端子ハウジング６３を相手コネクタハウジング等に嵌合することで、シールド端子ハウジング６３内の同軸ケーブル用シールド端子３１やインナー端子４１が相手側に電気的に接続されるようになっている。
【００２４】
即ち、本実施形態の同軸ケーブル用シールド端子３１によれば、同軸ケーブル３３の端部の絶縁シース３９や絶縁内皮３８を所定長に剥ぎ取って芯線露出部や編組露出部を形成するケーブル端末処理を施した後、その同軸ケーブル３３の端部に対して接続片５５を編組３５と絶縁内皮３８との間に差し込んだ状態にして一対の編組加締め部５１，５１が編組３５の上に加締め付けられる。
【００２５】
すると、これら編組加締め部５１，５１が編組３５を接続片５５側に押圧付勢して、接続片５５を編組３５の内周面に密着した状態にするので、該編組３５は、接続片５５と編組加締め部５１とで挟持されて同軸ケーブル用シールド端子３１との間の良好な電気的接続状態を得ることができる。
即ち、上記同軸ケーブル用シールド端子３１は、圧着接続によって同軸ケーブル３３の編組３５に対して安定した電気的接続を果たすことができる。
【００２６】
更に、前記編組加締め部５１の圧着接続時における加締め力は、編組３５及び接続片５５を芯線３７側に押圧付勢するが、各編組加締め部５１の内面に突設されている複数の係止部６１が、接続片５５の芯線３７側への変位を規制するため、変形した接続片５５が絶縁内皮３８を押し潰すことがない。
そこで、前記係止部６１は、前記編組加締め部５１の加締め力によって、前記接続片５５が同軸ケーブル３３の芯線３７側に変位しようとするとき、図４に示すように、該接続片５５の両側部を係止することで、接続片５５の芯線３７側（図中、下側）への変位を阻止することができる。
【００２７】
特に、これらの係止部６１は、各編組加締め部５１の内面にそれぞれ２個づつ、かつ、接続片５５の長手方向に対応して設けられているため、各係止部６１が協働して接続片５５の水平状態を確実に維持する。
従って、圧着時に前記芯線３７の径ｄ１とその周囲の絶縁内皮３８の外径ｄ２との比：ｄ１／ｄ２が変化してインピーダンスの乱れを招くことはなく、同軸ケーブル３３の高周波特性が前記シールド端子３１の圧着接続で損なわれることは無い。
【００２８】
尚、本発明の同軸ケーブル用シールド端子は、上記実施形態の構成に限定されるものではなく、本発明の趣旨に基づいて種々の形態を採りうることは云うまでもない。
例えば、上記実施形態においては、単芯の同軸ケーブル３３の端部に圧着接続する場合について説明したが、図６に示したような２芯の同軸ケーブル等の接続にも応用可能である。
【００２９】
又、上記実施形態の係止部６１は、プレス加工による打ち出しによって形成したが、切り起こし等の手段によって係止部を形成することもできる。
更に、上記実施形態の接続片５５は、端子本体４３の上部後端縁から延出して折曲形成されているが、圧着部の端子側壁に連結部を介して折り返し形成しても良い。
【００３０】
【発明の効果】
以上説明したように本発明の同軸ケーブル用シールド端子によれば、同軸ケーブルの端部に対して接続片を編組と絶縁内皮との間に差し込んだ状態にして一対の編組加締め部が編組の上に加締め付けられ、これら編組加締め部が編組を接続片側に押圧付勢して、接続片を編組の内周面に密着した状態にするので、該編組は、接続片と編組加締め部とで挟持されて同軸ケーブル用シールド端子との間の良好な電気的接続状態を得ることができる。
【００３１】
更に、圧着接続時の加締め力は、編組及び接続片を芯線側に押圧付勢するが、各編組加締め部の内面に突設されている係止部が、接続片の芯線側への変位を規制するため、変形した接続片が絶縁内皮を押し潰すことがない。
従って、圧着時にインピーダンスの乱れを招く同軸ケーブル内の絶縁内皮の押し潰しが発生することはなく、同軸ケーブルの高周波特性がシールド端子の圧着接続で損なわれることは無い良好な同軸ケーブル用シールド端子を提供できる。
【図面の簡単な説明】
【図１】本発明の一実施形態に係る同軸ケーブル用シールド端子の全体斜視図である。
【図２】図１に示した同軸ケーブル用シールド端子の縦断面図である。
【図３】図２のＩＩＩ−ＩＩＩ断面矢視図である。
【図４】図１に示した同軸ケーブル用シールド端子の圧着部における拡大横断面図である。
【図５】図１に示した同軸ケーブル用シールド端子を用いた同軸コネクタの組立手順を示す斜視図である。
【図６】従来の同軸ケーブル用シールド端子の斜視図である。
【図７】図６に示した同軸ケーブル用シールド端子に同軸ケーブルを接続した状態の斜視図である。
【図８】図７のＶＩＩＩ−ＶＩＩＩ断面矢視図である。
【符号の説明】
３１  同軸ケーブル用シールド端子
３３  同軸ケーブル
３５  編組
３７  芯線
３８  絶縁内皮
３９  絶縁シース
４３  端子本体
４４  端子底板部
４５  圧着部
５１  編組加締め部
５３  シース加締め部
５５  接続片
６１  係止部
【図１】
2004319175.tif 000003
【図２】
2004319175.tif 000004
【図３】
2004319175.tif 000005
【図４】
2004319175.tif 000006
【図５】
2004319175.tif 000007
【図６】
2004319175.tif 000008
【図７】
2004319175.tif 000009
【図８】
2004319175.tif 000010